(57)【要約】【課題】スクラバー中での固形成分の除去効率を向上させる。【解決手段】エンジンから排出された排気ガス中の固形成分をスクラバー水に吸収させるスクラバー１１１は、上記スクラバー１１１において循環する循環スクラバー水を上記スクラバー１１１に流入させる第１スプレーノズル１１４（第１の流入部）と、遠心分離機１２０（分離装置）によって上記スクラバー１１１内のスクラバー水から固形成分が除去された浄化後スクラバー水を上記スクラバー１１１に流入させる第２スプレーノズル１１６（第２の流入部）とが、別個に設けられている。【選択図】図１
2019157777.tif 000002
【特許請求の範囲】
【請求項１】
エンジンから排出された排気ガス中の固形成分をスクラバー水に吸収させるスクラバーであって、
上記スクラバーにおいて循環する循環スクラバー水を上記スクラバーに流入させる第１の流入部と、分離装置によって上記スクラバー内のスクラバー水から固形成分が除去された浄化後スクラバー水を上記スクラバーに流入させる第２の流入部とが、別個に設けられていることを特徴とするスクラバー。
【請求項２】
請求項１のスクラバーであって、
上記第１の流入部、および第２の流入部は、それぞれ、循環スクラバー水または浄化後スクラバー水をスクラバー内に噴射するスプレーノズルであることを特徴とするスクラバー。
【請求項３】
請求項２のスクラバーであって、
さらに、スクラバー内に貯留されるスクラバー水の液面に浄化後スクラバー水を噴射するスプレーノズルを備えたことを特徴とするスクラバー。
【請求項４】
請求項１から請求項３のうち何れか１項のスクラバーであって、
上記第１の流入部、および第２の流入部の下方に充填材が設けられていることを特徴とするスクラバー。
【請求項５】
請求項１から請求項３のうち何れか１項のスクラバーであって、
ベンチュリー型であることを特徴とするスクラバー。
【請求項６】
請求項１から請求項５のうち何れか１項のスクラバーと、
上記スクラバー水に含まれる上記固形成分を除去する分離装置と、
を備えたことを特徴とするスクラバーシステム。
【請求項７】
請求項６のスクラバーシステムであって、
上記分離装置は、遠心分離機、フィルタろ過装置、およびノズルセパレータの少なくとも１つを含むことを特徴とするスクラバーシステム。
【発明の詳細な説明】
【技術分野】
【０００１】
本発明は、船舶用ディーゼルエンジンの排気ガス中に含まれるＳＯｘ，ＮＯｘ、および粒子状物質を取り除くなどのためのスクラバー、およびスクラバーシステムに関するものである。
【背景技術】
【０００２】
船舶用ディーゼルエンジン等では、排気ガスに含まれる未燃焼カーボン等の粒子状物質（固形成分）を除去するために、スクラバーが用いられる。このスクラバーでは、除塵用の水であるスクラバー水をスクラバー内でスプレーノズルから噴霧して、上記固形成分を吸収させるようになっている。スクラバー水は、循環配管およびスプレーノズルを介して循環される。循環配管を流れるスクラバー水の一部は、分岐して遠心分離機に送られ、固形成分が分離された後、循環配管に戻されて、分岐前のスクラバー水と合流されてスプレーノズルから噴霧される（例えば、特許文献１参照。）。
【先行技術文献】
【特許文献】
【０００３】
【特許文献１】特開２０１７−０２９９１９号公報
【発明の概要】
【発明が解決しようとする課題】
【０００４】
しかしながら、上記のようなスクラバーで循環するスクラバー水に対して遠心分離機で固形成分を除去する場合、その除去効率が低下しがちであった。
【０００５】
本発明は、上記の点に鑑み、遠心分離機における固形成分の除去効率低下を抑制することを目的としている。
【課題を解決するための手段】
【０００６】
上記の目的を達成するため、本発明は、
エンジンから排出された排気ガス中の固形成分をスクラバー水に吸収させるスクラバーであって、
上記スクラバーにおいて循環する循環スクラバー水を上記スクラバーに流入させる第１の流入部と、分離装置によって上記スクラバー内のスクラバー水から固形成分が除去された浄化後スクラバー水を上記スクラバーに流入させる第２の流入部とが、別個に設けられていることを特徴とする。
【０００７】
これにより、固形成分濃度の低いスクラバー水がスクラバー内に噴射され、固形成分が捕捉されやすくなったり凝集しやすくなったりして、固形成分の除去効率が向上する。
【発明の効果】
【０００８】
本発明によれば、遠心分離機における固形成分の除去効率低下を抑制することができる。
【図面の簡単な説明】
【０００９】
【図１】実施形態１のスクラバーシステムの概略構成を示す説明図である。
【図２】実施形態２のスクラバーシステムの概略構成を示す説明図である。
【図３】実施形態３のスクラバーシステムの概略構成を示す説明図である。
【図４】実施形態４のスクラバーシステムの概略構成を示す説明図である。
【発明を実施するための形態】
【００１０】
以下、本発明の実施形態として、ディーゼルエンジンの排気ガスを除塵するスクラバーシステムの例を図面に基づいて詳細に説明する。なお、以下の各実施形態や変形例において、他の実施形態等と同一または対応する構成要素については、同一または対応する符号を付して適宜説明を省略する。
【００１１】
（実施形態１）
実施形態１のスクラバーシステム１００は、図１に示すように、ディーゼルエンジン等の排気ガスに含まれる未燃焼カーボン等の粒子状物質（固形成分）をスクラバー水によって捕捉するスクラバー装置１１０と、上記スクラバー水に捕捉された固形成分を除去する遠心分離機１２０（分離装置）とを備えている。
【００１２】
スクラバー装置１１０は、排気ガス流入管１１１ａを介してスクラバー１１１に送られる排気ガス中の固形成分をスクラバー１１１内でスクラバー水に吸収させて除塵し、除塵後の排気ガスを図示しない排気管から排出するようになっている。スクラバー１１１内に貯留される貯留スクラバー水は、ポンプ１１２、および循環配管１１３を介して循環され、第１スプレーノズル１１４（第１の流入部）を介してスクラバー１１１内に噴射（噴霧）されるようになっている。
【００１３】
また、上記循環配管１１３を流れるスクラバー水の一部は、分岐管１１５を介して遠心分離機１２０に送られる。遠心分離機１２０では、固形成分が遠心力により分離され、スラッジとして排出されるようになっている。浄化後のスクラバー水は、一部が環境系外に排出されるとともに、他の一部は、スクラバー１１１に戻され、第２スプレーノズル１１６（第２の流入部）を介してスクラバー１１１内に噴射されるようになっている。なお、浄化後のスクラバー水は環境系外に排出されず全てスクラバー１１１内に噴射されるようにしてもよい。
【００１４】
上記スプレーノズル１１４・１１６の具体的な配置は特に限定されず、例えば、それぞれ複数のノズルユニットが、市松模様状に縦横に交互に配置されたり、同心円状で直径方向に交互に配置されたりしてもよい。
【００１５】
スクラバー１１１の内部における、スプレーノズル１１４・１１６の下方には、充填材１１１ｂが設けられている。スプレーノズル１１４・１１６から噴射されたスクラバー水は、充填材１１１ｂを伝って徐々に下方に移動した後、落下してスクラバー１１１の底部に溜まるようになっている。
【００１６】
上記のように構成されたスクラバーシステム１００では、スクラバー１１１内でスプレーノズル１１４・１１６から噴射されたスクラバー水の水滴や充填材１１１ｂを伝うスクラバー水が排気ガスに接触することにより、排気ガス中の固形成分を効率よく捕捉するようになっている。特に、循環配管１１３を介して循環するスクラバー水が噴射される第１スプレーノズル１１４と、遠心分離機１２０によって固形成分が除去された浄化後のスクラバー水が噴射される第２スプレーノズル１１６とが別個に設けられていることによって、固形成分濃度の低いスクラバー水と、相対的に固形成分濃度の高いスクラバー水とが噴射されることになる。この場合、遠心分離機１２０による浄化後のスクラバー水は、固形成分濃度は低いが、遠心分離機１２０内で作用する剪断力によって微細化された固形成分が含まれ得る。そのような微細化された固形成分は、遠心分離機１２０による分離効率を低下させる要因となる。ところが、そのようなスクラバー水が、循環配管１１３を介して循環するスクラバー水と混合されずにスクラバー１１１中に噴射されると、混合されて噴射される場合よりも、微細化された固形成分が凝集しやすくなると考えられる。それゆえ、遠心分離機１２０による固形成分の除去効率低下を抑制することが容易になる。また、固形成分濃度の低いスクラバー水が噴射されることによって、スクラバー１１１内でのスカムの発生や成長が抑制されやすくなり、スクラバーシステム１００の動作を安定させることが容易にできる。
【００１７】
（実施形態２）
実施形態２のスクラバーシステム１００は、図２に示すように、実施形態１の構成に加えて、さらに、ポンプ１３１、フィルタろ過装置１３２、および第３スプレーノズル１１７を備えている。
【００１８】
上記フィルタろ過装置１３２は、スクラバー水中の固形成分をフィルタでこし取ることによって除去し、スラッジと浄化後のスクラバー水とを排出するようになっている。
【００１９】
上記第３スプレーノズル１１７は、スプレーノズル１１４・１１６よりも下方、すなわちスクラバー１１１内に貯留される貯留スクラバー水の液面により近いところに設けられる。
【００２０】
これによって、フィルタろ過装置１３２によって固形成分が除去された浄化後のスクラバー水が、貯留スクラバー水の液面に直接噴射されて、スカムが消泡されやすくなる。それゆえ、スカムの発生や成長がより抑制されやすくなり、スクラバーシステム１００の動作を安定させることがより容易にできる。
【００２１】
なお、フィルタろ過装置１３２によって浄化後のスクラバー水も、環境系外に排出されず全て第３スプレーノズル１１７を介してスクラバー１１１内に噴射されるようにしてもよい。
【００２２】
また、上記のような消泡効果を得るためには、フィルタろ過装置１３２によって浄化されたスクラバー水に代えて、遠心分離機１２０によって浄化されたスクラバー水の一部を第３スプレーノズル１１７から噴射するようにしてもよい。
【００２３】
（実施形態３）
実施形態３のスクラバーシステム１００は、図３に示すように、実施形態１の構成に加えて、さらに以下の構成要素を備えている。
【００２４】
遠心分離機１２０によって固形成分が除去された浄化後のスクラバー水をろ過するフィルタろ過装置１４１が設けられ、さらに固形成分が除去されたスクラバー水が環境系外に排出されるようになっている。
【００２５】
また、遠心分離機１２０によって分離された固形成分、および上記フィルタろ過装置１４１によってろ過された固形成分を受けるスラッジ受タンク１４２が設けられている。このスラッジ受タンク１４２に一旦貯留されたスラッジは、ポンプ１４３を介してフィルタプレス１４４に送られ、固形成分がろ過、圧縮されてケーク１４５として排出されるようになっている。フィルタプレス１４４でろ過されたスクラバー水は、清浄液受タンク１４６に溜められた後、適宜、ポンプ１４７により第３スプレーノズル１１７から噴射されるようになっている。
【００２６】
上記のように、遠心分離機１２０から排出された浄化後のスクラバー水をさらにろ過するフィルタろ過装置１４１が設けられることによって、より清浄なスクラバー水を環境系外に排出することができる。
【００２７】
また、遠心分離機１２０やフィルタろ過装置１４１から排出されたスラッジをフィルタプレス１４４によりろ過、圧縮してケーク１４５にすることによって、保管スペースを小さく抑えることが容易になる。
【００２８】
（実施形態４）
実施形態４のスクラバーシステム１００は、図４に示すように、実施形態３の構成と比べて、スラッジ受タンク１４２およびフィルタプレス１４４に代えて、沈殿槽１６１とコレクティングタンク１６２とが一体的に形成された沈殿装置１６０が設けられている。遠心分離機１２０やフィルタろ過装置１４１から排出された固形成分（スラッジ）は、沈殿槽１６１で濃縮された後、ポンプ１６３を介して排出されるようになっている。
【００２９】
沈殿槽１６１で固形成分が沈殿した後の上澄みは、コレクティングタンク１６２に溜められた後、ポンプ１６４、循環配管１１３、および第１スプレーノズル１１４を介して、スクラバー１１１内に噴射されるようになっている。上記コレクティングタンク１６２は、また、スクラバー１１１内で排気ガス中の固形成分を捕捉した後、循環配管１１８を介して送られたスクラバー水を貯留するためにも用いられるようになっている。この場合には、スクラバー１１１を小型化することが容易になる。また、沈殿槽１６１とコレクティングタンク１６２とを一体化したり、沈殿槽１６１の上澄みの貯留と、スクラバー１１１を循環するスクラバー水の貯留とをコレクティングタンク１６２が兼ねることによっても、スクラバーシステム１００全体の小型化を図ることが容易になる。
【００３０】
（その他の実施形態）
上記各実施形態では、分離装置として、遠心分離機１２０やフィルタろ過装置１３２等が用いられる例を示したが、これに限らず、種々の分離機能を有する装置を適用することができる。具体的には、例えば、遠心分離機、フィルタろ過装置、およびノズルセパレータや、これらの組み合わせなどが用いられてもよい。
【００３１】
また、上記各実施形態では、充填材１１１ｂが設けられたスクラバー装置１１０が用いられる例を示したが、種々の形式のスクラバー装置を適用することができ、例えばベンチュリー型スクラバーを適用するなどしてもよい。
【００３２】
また、上記各実施形態で説明した構成要素は、論理的に矛盾しない限り、種々組み合わせてもよい。具体的には、例えば、実施形態３で説明したようなスラッジ受タンク１４２やフィルタプレス１４４を設ける構成や、実施形態４で説明したような沈殿槽１６１を設ける構成を、実施形態１等の構成に適用して、より濃縮されたスラッジ等を排出し得るようにしてもよい。
【符号の説明】
【００３３】
１００      スクラバーシステム
１１０      スクラバー装置
１１１      スクラバー
１１１ａ    排気ガス流入管
１１１ｂ    充填材
１１２      ポンプ
１１３      循環配管
１１４      第１スプレーノズル
１１５      分岐管
１１６      第２スプレーノズル
１１７      第３スプレーノズル
１１８      循環配管
１２０      遠心分離機
１３１      ポンプ
１３２      フィルタろ過装置
１４１      フィルタろ過装置
１４２      スラッジ受タンク
１４３      ポンプ
１４４      フィルタプレス
１４５      ケーク
１４６      清浄液受タンク
１４７      ポンプ
１６０      沈殿装置
１６１      沈殿槽
１６２      コレクティングタンク
１６３      ポンプ
１６４      ポンプ
【図１】
2019157777.tif 000003
【図２】
2019157777.tif 000004
【図３】
2019157777.tif 000005
【図４】
2019157777.tif 000006